(57)【要約】【課題】サーボ系が誤動作することを抑止して、情報の安定な記録、再生もしくは消去が可能な光ディスク記録再生装置およびオフセット補正方法を提供する。【解決手段】光ディスク記録再生装置１は、オフセット検出器６４，６７によるオフセットの検出およびオフセット補正機構６３，６６によるオフセットの補正に際して、ＬＤ駆動回路３６からＬＤ１１に供給される駆動電流の大きさをＡＰＣ回路３のサンプルホールド回路３３にホールドさせた後、ＬＤ駆動回路からＬＤに供給される駆動信号を遮断し、オフセット補正機構によるオフセットの補正が終了した時点で、サンプルホールド部にホールドされた駆動電流の大きさでＬＤ駆動回路からＬＤへの駆動電流を出力させるＣＰＵ５を有し、誤動作することなくサーボ系の追従性能を向上した安定な制御が可能である。【選択図】  図１
2006185481.tif 000002
【特許請求の範囲】
【請求項１】
光源からの光を記録媒体上に集光させる光学ヘッドと、光学ヘッドのオフセットを補正するためのフォーカスサーボエラー信号とトラッキングサーボエラー信号の少なくとも一方を生成する信号処理手段と、を有する光ディスク記録再生装置において、
記録媒体への情報の記録または記録媒体からの情報の再生中に光源から光が出力されることを停止する発光制御手段と、
前記発光制御手段により、光源から光が出力されることが停止されている間に、フォーカスサーボエラー信号とトラッキングサーボエラー信号の少なくとも一方をホールドするサーボホールド手段と、
前記サーボホールド手段により、フォーカスサーボエラー信号とトラッキングサーボエラー信号の少なくとも一方がホールドされている間に、対応するエラー信号のオフセット成分を検出するオフセット検出手段と、
前記オフセット検出手段の出力に基づいて、前記対応するエラー信号のオフセット成分を補正するオフセット補正手段と、
装置内部の温度を検知する温度検知手段と、
記録媒体から再生された情報を一時的に保持するバッファメモリと、を備え、
前記発光制御手段により、光源から光が出力されることが停止されるタイミングは、前記温度検出手段により検出された装置内部の温度の変動が予め設定された範囲を超える場合であり、
前記サーボエラー信号がホールドされる時間は、バッファメモリから再生された情報が読み出されるために要求される時間の範囲内に設定されていることを特徴とする光ディスク記録再生装置。
【請求項２】
光源からの光を記録媒体上に集光させる光学ヘッドと、光学ヘッドのオフセットを補正するためのフォーカスサーボエラー信号とトラッキングサーボエラー信号の少なくとも一方を生成する信号処理手段と、を有する光ディスク記録再生装置において、
記録媒体への情報の記録または記録媒体からの情報の再生中に光源から光が出力されることを停止する発光制御手段と、
前記発光制御手段により、光源から光が出力されることが停止されている間に、フォーカスサーボエラー信号とトラッキングサーボエラー信号の少なくとも一方をホールドするサーボホールド手段と、
前記サーボホールド手段により、フォーカスサーボエラー信号とトラッキングサーボエラー信号の少なくとも一方がホールドされている間に、対応するエラー信号のオフセット成分を検出するオフセット検出手段と、
前記オフセット検出手段の出力に基づいて、前記対応するエラー信号のオフセット成分を補正するオフセット補正手段と、
装置内部の温度を検知する温度検知手段と、
記録媒体から再生された情報を一時的に保持するバッファメモリと、を備え、
前記発光制御手段により、光源から光が出力されることが停止されるタイミングは、前記温度検出手段により検出された装置内部の温度の変動が予め設定された範囲を超える場合であり、
前記サーボエラー信号がホールドされる時間は、バッファメモリへの情報の書き込みに要求される時間の範囲内に設定されていることを特徴とする光ディスク記録再生装置。
【請求項３】
前記発光制御手段により、光源から光が出力されることが停止される直前の光源に供給される駆動電流値を保持するサンプルホールド手段をさらに備えることを特徴とする請求項１または２記載の光ディスク記録再生装置。
【請求項４】
光源からの光を記録媒体上に集光させる光学ヘッドと、光学ヘッドのオフセットを補正するためのフォーカスサーボエラー信号とトラッキングサーボエラー信号の少なくとも一方を生成する信号処理手段と、を有する光ディスク記録再生装置において、サーボ系のオフセットを補正するオフセット方法において、
温度検出手段により検出された装置内部の温度の変動が予め設定された範囲から外れることを検出し、
光源からの光の出力を、所定期間停止し、
光源からの光の出力が停止されている間にフォーカスサーボエラー信号およびトラッキングサーボエラー信号をホールドし、
フォーカスサーボエラー信号とトラッキングサーボエラー信号がホールドされている間に、それぞれのエラー信号のオフセット成分を検出し、
所定時間内に検出されたオフセット成分を補正する、
ことを特徴とするオフセット補正方法。
【請求項５】
光源からの光を記録媒体上に集光させる光学ヘッドと、光源から出力される光のパワーのレベルに対応するモニタ信号のレベルの変化に基づいて、光のパワーが一定となるように光源に対する駆動電流値を制御するオートパワー制御手段と、フォーカスサーボエラー信号とトラッキングサーボエラー信号の少なくとも一方を生成する信号処理手段と、を有する光ディスク記録再生装置において、
記録媒体への情報の記録または記録媒体からの情報の再生中に光源から光が出力されることを停止する発光制御手段と、
前記発光制御手段により、光源から光が出力されることが停止されている間に、フォーカスサーボエラー信号とトラッキングサーボエラー信号の少なくとも一方をホールドするサーボホールド手段と、
前記サーボホールド手段により、フォーカスサーボエラー信号とトラッキングサーボエラー信号の少なくとも一方がホールドされている間に、対応するエラー信号のオフセット成分を検出するオフセット検出手段と、
前記オフセット検出手段の出力に基づいて、前記対応するエラー信号のオフセット成分を補正するオフセット補正手段と、を備え、
前記オートパワー制御手段は、前記発光制御手段により光源から光が出力されることが停止される直前の光源に供給される駆動電流値を保持するサンプルホールド手段を有することを特徴とする光ディスク記録再生装置。
【請求項６】
光ディスク記録再生装置は、記録媒体から再生された情報を一時的に保持するバッファメモリを備え、前記サーボエラー信号がホールドされる時間は、バッファメモリから再生された情報が読み出されるために要求される時間の範囲内に設定されていることを特徴とする請求項５記載の光ディスク記録再生装置。
【請求項７】
光ディスク記録再生装置は、記録媒体に記録すべき情報を一時的に保持するバッファメモリを備え、前記サーボエラー信号がホールドされる時間は、バッファメモリへの情報の書き込みに要求される時間の範囲内に設定されていることを特徴とする請求項５記載の光ディスク記録再生装置。
【請求項８】
光源からの光を記録媒体上に集光させる光学ヘッドと、光学ヘッドのオフセットを補正するためのフォーカスサーボエラー信号とトラッキングサーボエラー信号の少なくとも一方を生成する信号処理手段と、を有する光ディスク記録再生装置において、サーボ系のオフセットを補正するオフセット方法において、
温度検出手段により検出された装置内部の温度の変動が予め設定された範囲から外れることを検出し、
光源からの光の出力を、所定期間停止し、
フォーカスサーボエラー信号およびトラッキングサーボエラー信号をホールドし、
フォーカスサーボエラー信号とトラッキングサーボエラー信号がホールドされている間に、それぞれのエラー信号のオフセット成分を検出し、
検出されたオフセット成分を、記録媒体から再生された情報を一時的に保持するバッファメモリからその再生された情報が読み出されるために要求される時間の範囲内で補正することを特徴とするオフセット補正方法。
【請求項９】
光源からの光を記録媒体上に集光させる光学ヘッドと、光学ヘッドのオフセットを補正するためのフォーカスサーボエラー信号とトラッキングサーボエラー信号の少なくとも一方を生成する信号処理手段と、を有する光ディスク記録再生装置において、サーボ系のオフセットを補正するオフセット方法において、
温度検出手段により検出された装置内部の温度の変動が予め設定された範囲から外れることを検出し、
光源からの光の出力を、所定期間停止し、
フォーカスサーボエラー信号およびトラッキングサーボエラー信号をホールドし、
フォーカスサーボエラー信号とトラッキングサーボエラー信号がホールドされている間に、それぞれのエラー信号のオフセット成分を検出し、
検出されたオフセット成分を、記録媒体に記録すべき情報を一時的に保持するバッファメモリへその記録すべき情報が書き込まれるために要求される時間の範囲内で補正することを特徴とするオフセット補正方法。
【請求項１０】
オフセット成分の検出およびオフセット成分の補正の間、光源からの光の出力が所定期間停止される直前の光源に供給される駆動電流値が保持され、光源からの光が再び出力される際に、保持された駆動電流値に基づいて、光が出力されることを特徴とする請求項８または９記載のオフセット補正方法。
【請求項１１】
光を出力する光源と、
光源からの光を記録媒体上に集光させる対物レンズと、
光源からの光の強度をモニタするモニタ用光検出器と、
記録媒体から反射された光を検出するデータ用光検出器と、
前記データ用光検出器からの出力に基づいて、前記対物レンズと記録媒体の位置を制御するサーボ機構と、
装置内部の温度を検知する温度センサと、
前記サーボ機構におけるサーボ量が、温度の変化に起因してオフセットする成分を検出するオフセット検出器と、
前記オフセット検出器により検出されたオフセット成分に基づいてサーボ量を補正するオフセット補正機構と、
前記光源に、前記光源からの光の出力を設定するための駆動電流を供給する光源制御部と、
前記温度センサにより検知された装置内部の温度が所定の範囲から外れた場合に、前記光源制御部から前記光源に供給される駆動電流の大きさを保持するサンプルホールド部を有し、前記モニタ用光検出器からの出力に基づいて、前記光源制御部から前記光源に供給すべき駆動電流の大きさを設定するための基準となるモニタ出力を出力するパワー制御部と、
前記オフセット検出器によるオフセットの検出および前記オフセット補正機構によるオフセットの補正に際して、前記光源制御部から前記光源に供給される駆動電流の大きさを前記パワー制御部のサンプルホールド部にホールドさせた後、前記光源制御部から前記光源に供給される駆動信号を遮断し、前記オフセット補正機構によるオフセットの補正が終了した時点で、前記サンプルホールド部にホールドされた駆動電流の大きさで前記光源制御部から前記光源への駆動電流を出力させる駆動制御部と、
を有することを特徴とする光ディスク記録再生装置。
【発明の詳細な説明】
【技術分野】
【０００１】
この発明は、レーザ光を用いて情報の記録、消去または再生が可能な光ディスクに情報を記録し、または情報を消去し、もしくは情報を再生する光ディスク記録再生装置（情報記録再生装置）およびオフセット補正方法に関する。
【背景技術】
【０００２】
情報の記録に適した記録媒体として、光ディスクが既に広く利用されている。反面、さまざまな規格の光ディスクが提案され、それぞれが実用化されている。なお、さまざまな規格の光ディスクは、記録容量で区別するとＣＤ規格やＤＶＤ規格に分類でき、用途から見た場合、既に情報が記録されている（ＲＯＭと呼称される）再生専用タイプ、１回限りの情報記録が可能な（−Ｒと呼称される）ライトワンスタイプ（追記型）、あるいは記録と消去が繰り返し可能な（ＲＡＭあるいはＲＷと呼称される）リライタブルタイプ（録再型または書換可能型）等に区分される。
【０００３】
上述のさまざまな規格の光ディスクに情報を記録し、または既に記録されている情報を消去し、もしくは記録されている情報を再生する光ディスク記録再生装置は、光ディスク（記録媒体）の所定の位置に、所定の波長のレーザ光を光ディスクの記録面照射する送光系と、光ディスクで反射されたレーザ光を検出する受光系と、ディスクモータやディスクローディング機構等に代表されるメカニカル機構部と、送光系、受光系およびメカニカル機構部のそれぞれを制御する機構制御（サーボ）系と、送光系に対して記録すべき情報や消去信号を供給し、受光系により検出された信号から記録されている情報を再生する信号処理系、等を含む。
【０００４】
送光系および受光系は、レーザ光を出力する光源であるＬＤ（レーザダイオード）と、ＬＤからのレーザ光を光ディスクの記録面に集光するとともに、光ディスクで反射されたレーザ光を捕獲する対物レンズと、を含む。
【０００５】
なお、ＬＤから出力されるレーザ光の強度と波長は、周囲の温度および連続したレーザ光の出力に依存し、記録／再生あるいは消去の各動作において、ランダムに変化することが知られている。このため、光ディスク記録再生装置においては、多くの場合、レーザ光の強度と波長を一定の制御範囲内に維持するために、ＡＰＣ（Automatic Power Control）回路が設けられている。
【０００６】
また、対物レンズの位置は、光ディスクのトラックあるいは記録マーク列を確実に追従できるよう、上述のサーボ系により常時制御されるが、周囲温度の変化や、長時間の連続した記録／再生等を要因として、制御量にオフセット成分が生じることが知られている。このことから、サーボ系の制御量を補償するさまざまな機構や方法が、数多く提案されている。
【０００７】
例えば、特許文献１には、光源と、２個以上の光検出器と、光検出器で検出された信号の演算を行う信号処理手段と、信号処理手段で生成されたプリフォーマット信号に基づき制御信号を発生する制御信号発生手段と、制御信号発生手段からの信号により光源の制御を行う光出力制御手段と、信号処理手段で生成されたサーボエラー信号に基づきサーボ制御を行うサーボ制御手段と、制御信号発生手段からの制御信号により、光源が非発光時のサーボエラー信号のオフセットの検出を行うオフセット検出手段と、オフセット検出手段の出力によりサーボエラー信号のオフセットを補正するオフセット補正手段と、光メモリ装置内の温度を検出する温度検出手段と、を備え、温度検出手段によって検出された温度の時間変化割合に応じて、オフセット補正の動作間隔を制御する光メモリ装置が示されている。
【特許文献１】特許第２９１０３５０号公報
【発明の開示】
【発明が解決しようとする課題】
【０００８】
特許文献１に記載の光メモリ装置は、オフセット補正の動作間隔を制御することの記載があるが、オフセット補正のために要求されるオフセット補正時間に関しての記載は、見当たらない。
【０００９】
サーボ系のオフセットを補正するためには、レーザ光の出力を停止する必要があり、例えば記録速度の向上（再生時間を基準として「ｎ倍」と称される）の要求や記録動作の間に既に記録されている情報を再生する場合等において、オフセット補正のための補正時間を確保できなくなる問題がある。このことは、サーボ系に誤動作を生じさせ易く、例えば情報の記録が確実に記録されない、等の重大な問題を引き起こす虞がある。
【００１０】
この発明の目的は、サーボ系のオフセットを補正するためのオフセット補正時間を低減し、サーボ系が誤動作することを抑止して、情報の安定な記録、再生もしくは消去が可能な光ディスク記録再生装置およびオフセット補正方法を提供するものである。
【課題を解決するための手段】
【００１１】
この発明は、上記問題点に基づきなされたもので、光源からの光を記録媒体上に集光させる光学ヘッドと、光学ヘッドのオフセットを補正するためのフォーカスサーボエラー信号とトラッキングサーボエラー信号の少なくとも一方を生成する信号処理手段と、を有する光ディスク記録再生装置において、記録媒体への情報の記録または記録媒体からの情報の再生中に光源から光が出力されることを停止する発光制御手段と、前記発光制御手段により、光源から光が出力されることが停止されている間に、フォーカスサーボエラー信号とトラッキングサーボエラー信号の少なくとも一方をホールドするサーボホールド手段と、前記サーボホールド手段により、フォーカスサーボエラー信号とトラッキングサーボエラー信号の少なくとも一方がホールドされている間に、対応するエラー信号のオフセット成分を検出するオフセット検出手段と、前記オフセット検出手段の出力に基づいて、前記対応するエラー信号のオフセット成分を補正するオフセット補正手段と、装置内部の温度を検知する温度検知手段と、記録媒体から再生された情報を一時的に保持するバッファメモリと、を備え、前記発光制御手段により、光源から光が出力されることが停止されるタイミングは、前記温度検出手段により検出された装置内部の温度の変動が予め設定された範囲を超える場合であり、前記サーボエラー信号がホールドされる時間は、バッファメモリから再生された情報が読み出されるために要求される時間の範囲内に設定されていることを特徴とする光ディスク記録再生装置、を提供するものである。
【発明の効果】
【００１２】
本発明によれば、ＡＰＣ回路にサンプルホールド回路を設け、レーザ光源のレーザ出力が遮断される（非発光）直前の駆動電流値を保持しておくことにより、再点灯後に、ＡＰＣ回路の制御動作に伴うレーザ光の強度が安定されるまでの時間が短縮される。
【００１３】
これにより、サーボホールド時間が短縮され、サーボ系への影響を無くし、誤動作することなくサーボ系の追従性能を向上する安定な制御が可能となる。
【００１４】
従って、サーボ系のオフセットを補正するためのオフセット補正時間を低減し、サーボ系が誤動作することを抑止して、情報の安定な記録、再生もしくは消去が可能な光ディスク記録再生装置およびオフセット補正方法が提供される。
【発明を実施するための最良の形態】
【００１５】
以下、図面を参照して、この発明の実施の形態について詳細に説明する。
【００１６】
図１は、この発明の実施形態が適用可能な光ディスク記録再生装置を概略的に示す。
【００１７】
図１に示すように、光ディスク記録再生装置１は、記録媒体（メディア）Ｍの記録面に所定の波長の光を照射する光学ヘッド２を含む。光学ヘッド２には、光学ヘッド２に組み込まれ、所定波長の光を出力する半導体レーザダイオード（後述）の出力光量を制御するＡＰＣ（Automatic Power Control＝オートパワーコントロール）回路３が接続されている。光学ヘッド２にはまた、記録媒体Ｍからの情報の再生、および記録媒体Ｍへの情報の記録と消去のため、光学ヘッド２の位置を記録媒体Ｍの記録面に対して所定の位置関係となるよう制御するとともに光学ヘッド２により取り出された情報を再生する信号処理部４が接続されている。
【００１８】
ＡＰＣ回路３と信号処理部４は、それぞれの動作タイミングや、外部装置との間の信号の受け渡し、例えば周囲温度を検出する温度センサからの温度データに依存する制御量の設定等に利用される主制御装置（ＣＰＵ）５と接続されている。
【００１９】
なお、ＣＰＵ５には、例えばバッファメモリ７０や温度変動検出器（温度センサ）７１ならびにホスト６等が接続されている。また、図示しないが、記録媒体Ｍを所定の回転数で回転させるスピンドルモータ、およびスピンドルモータの回転数を制御するモータ駆動回路等も、ＣＰＵ５により制御される。
【００２０】
記録媒体（メディア）Ｍは、例えばＤＶＤ規格の光ディスクであって、情報の消去と新たな記録（書き換え）が可能なＤＶＤ−ＲＡＭディスクや、新たな情報の書き込みのみが可能なＤＶＤ−Ｒディスク、もしくは既に情報が記録されているＤＶＤ−ＲＯＭディスク等の周知のさまざまな種類のディスクである。なお、ＣＤ規格のディスクや、今後規格が制定される新規格のディスクにおいても、本発明は適用可能である。
【００２１】
光学ヘッド２は、光ディスクＭへの情報の記録（消去）、あるいは光ディスクＭからの情報の再生のために照射するレーザ光を発するレーザ光源としての半導体レーザ（ＬＤ）１１が設けられている。
【００２２】
半導体レーザ（ＬＤ）１１から発せられた、例えば波長が７８０ｎｍまたは６５０ｎｍのレーザ光は、コリメータレンズ１２により平行光束に変換された後、ビームスプリッタ１３、および対物レンズ１４を経て、光ディスクＭの所定の位置、例えば予め光ディスクの記録面に形成されている案内溝（トラック）もしくは記録マーク（ピット）列に、集光される。このとき、光ディスクＭは、スピンドルモータにより、案内溝または記録マーク列が所定の線速となる回転数で回転される。
【００２３】
光ディスクＭで反射された戻り光（反射レーザ光）は、対物レンズ１４により捕捉された後、ビームスプリッタ１３により入射光と分離され、検出レンズ１５に導かれる。検出レンズ１５に導かれた反射レーザ光は、受光領域が例えば４分割された分割受光素子（ＰＤ）１６に集光され、各受光領域に集光された光の強度に対する大きさの電気信号に変換される。
【００２４】
分割受光素子１６により受光された各分割領域の受光出力は、情報（再生）信号となるＲＦ信号、フォーカス用のサーボ信号およびトラッキング用のサーボ信号の基となるもので、信号処理部４に供給され、詳述しないが、周知の加算や減算に供される。
【００２５】
ＲＦ信号に利用されるＰＤ１６の出力は、ＲＦ信号生成復調回路５１に入力されて、光ディスクＭに記録されている情報として再生され、ＣＰＵ５を介してバッファメモリ７０に格納される。
【００２６】
フォーカス用のサーボ信号およびトラッキング用のサーボ信号に利用されるＰＤ１６の出力は、それぞれフォーカスエラー生成回路５２およびトラッキングエラー生成回路５３に入力され、対物レンズ１４に対するフォーカス／トラッキング用のアクチュエータ１８のサーボ制御に供される。これにより、光ディスクＭの記録面に、レーザ光が、合焦状態で、しかも案内溝または記録マーク列に正しく集光されるように、対物レンズ１４の位置が制御される。
【００２７】
光学ヘッド２には、ＰＤ１６とは別に、ＬＤ１１から出力されたレーザ光の強度を検出するモニタ用光検出器１７が設けられている。ＡＰＣ回路３により検知されたＬＤ１１からのレーザ光の強度は、ＣＰＵ５の制御においてモニタ用光検出器１７の出力が取り込まれ、以下に説明するＡＰＣ制御に利用される。
【００２８】
ＡＰＣ制御としては、第１に、所定タイミングで、ＬＤ駆動回路３６に、ＬＤオフ信号３９が、所定時間供給される。すなわち、ＬＤオフ信号３９が所定時間だけ、Ｈレベルに保持される。従って、ＬＤ駆動回路３６からＬＤ１１に供給されるレーザ駆動電流が遮断され、ＬＤ１１からのレーザ光の出力が停止される（ＬＤ非発光）。
【００２９】
詳細には、図２に示すように、第１に、フォーカスサーボ／トラックサーボがホールドされる。
【００３０】
フォーカス系においては、オペアンプ５４により、フォーカスエラー信号が増幅され、合わせてオフセットが補正される。すなわち、ＣＰＵ５の制御により、Ｄ／Ａ変換器５５に、基準データが供給され、初期調整値が加算される。次に、半導体レーザ（ＬＤ）１１の出力が停止されるに先立って、サンプルホールド回路５７にフォーカスサーボホールド制御信号６５が出力される。
【００３１】
サンプルホールド回路５７により、ＬＤ１１からのレーザ光の出力が停止される直前のフォーカスサーボ信号の大きさがホールドされる。以下、制御回路５８の出力に基づいてアクチュエータ１８が、フォーカス制御方向に変位される。このとき、Ａ／Ｄ変換器５６において半導体レーザ１１がオフ時のフォーカスエラー信号のレベルが検出される。これにより、オフセット量から補正値が算出される。次に、Ｄ／Ａ変換器５５において、求められた補正値が補正信号（量）に変換され、フォーカスオフセットが補正される。
【００３２】
トラッキングサーボについても、フォーカス系と同様にしてオフセットが補正される。すなわち、オペアンプ５９により、トラックエラー信号が増幅され、オフセットが補正される。
【００３３】
詳細には、ＣＰＵ５の制御により、Ｄ／Ａ変換器６０に、基準データが供給され、初期調整値が加算される。次に、半導体レーザ（ＬＤ）１１の出力が停止されるに先立って、サンプルホールド回路６２にトラックサーボホールド制御信号６８が出力される。以下、制御回路５８の出力に基づいてアクチュエータ１８が、トラック制御方向に変位される。このとき、Ａ／Ｄ変換器６１において、半導体レーザ１１がオフ時のトラッキングエラー信号のレベルが検出される。これにより、オフセット量から補正値が算出される。次に、Ｄ／Ａ変換器６０において、補正値が補正信号（量）に変換され、トラックオフセットが補正される。
【００３４】
次に、ＡＰＣ回路３によるレーザ光の強度の制御について説明する。
【００３５】
ＡＰＣ回路３は、先に説明したモニタ用光検出器１７、モニタ用光検出器１７から出力される電流を電圧に変換する電流／電圧変換回路すなわちＩ／Ｖ変換器３１、Ｉ／Ｖ変換器３１の出力電圧を所定の基準電圧と比較して増幅する増幅器３２（多段でもよい）、Ｄ／Ａ変換器３５を介して入力される目標発光パワー（レーザ光の強度）に相当する目標電圧値と増幅器３２の出力電圧とを比較する差動アンプ構成の電流制御増幅器３４、電流制御増幅器３４からの出力電圧値に基づいて、実際にＬＤ１１に供給する駆動電流値を設定し、その駆動電流をＬＤ１１に供給するＬＤ駆動回路３６を含む。すなわち、ＡＰＣ回路３においては、光検出器１７により検出され、ＬＤ１１からのレーザ光の強度に対応する電流値が、Ｉ／Ｖ変換器３１により電圧信号に変換され、ＣＰＵ５による目標電圧値との比較により、ＬＤ１１から出力されるレーザ光の強度が逐次補正される。
【００３６】
なお、ＡＰＣ回路３においては、増幅器３２と電流制御増幅器３４との間に、ＣＰＵ５からの制御信号３７により制御されるサンプルホールド回路３３が設けられている。
【００３７】
まず、再生時における通常のＡＰＣ動作について説明する。ＬＤ駆動回路３６により、半導体レーザ１１に再生用の駆動電流が供給されると、半導体レーザ１１からレーザ光が出射されて光ディスクＭに集光照射させることにより、情報が再生される。
【００３８】
この再生の際、半導体レーザ１１からの出射光の一部が光検出器１７に入射して、発光パワーのレベルに比例したレベルのモニタ電流（モニタ信号）がＩ／Ｖ変換器３１に出力される。Ｉ／Ｖ変換器３１より電流−電圧変換された電圧（モニタ電圧）は増幅器３２で増幅され、サンプルホールド回路３３を介して電流制御増幅器３４に出力される。
【００３９】
電流制御増幅器３４には、ＣＰＵ５よりＤ／Ａ変換器３５を介して目標再生発光パワーに応じた目標電圧が出力されており、従って、電流制御増幅器３４からは、増幅器３２の出力電圧がこの目標電圧に、常に一致するように制御された駆動信号がＬＤ駆動回路３６に出力される。
【００４０】
ＬＤ駆動回路３６では、この駆動信号のレベルに応じて再生発光パワーの駆動電流値が設定され、ＬＤ１１に、駆動電流が供給される。このようなＡＰＣ動作により、ＬＤ１１から、出力されるレーザ光の強度が、常に目標再生発光パワーに維持される。
【００４１】
ところで、ＬＤ１１からのレーザ光は、ＡＰＣ回路３を介して、その強度が設定されることから、駆動電流が遮断された後に再びレーザ光の出力が指示された（駆動電流が供給された）場合、強度が制御目標レベルで安定されるまでに、かなりの時間を要することとなる。このため、サンプルホールド回路３３により、ＬＤ１１への駆動電流が遮断される直前の駆動電流値を保持しておくことにより、再点灯後のＡＰＣ回路３による強度の制御に要求される時間が短縮され、制御の連続性が維持される。
【００４２】
すなわち、ＣＰＵ５の制御により、ＬＤ１１からのレーザ光の出力が停止される直前に制御信号３７をＨレベル（オン）とし、サンプルホールド回路３３でＬＤ１１の出力停止直前の増幅器３２の出力電圧（駆動電流値）４０を保持し、ＬＤ１１の再点灯（レーザ光の出力の）直前に制御信号３７をＬレベル（オフ）に切換える。これにより、ＬＤ１１を再点灯させた後、ＡＰＣ回路３による本来のＡＰＣ動作を行わせる上で直前の駆動電流値から再開させることができるので、速やかにＡＰＣ回路３を目標値に整定させることができる。
【００４３】
なお、図１に示した光ディスク記録再生装置１には、再生動作に伴って、光ディスクＭから読み出された再生情報をホスト６側に出力する前に一旦蓄積するバッファメモリ７０が付加されている。一般的な光情報記録再生装置（光ディスク記録再生装置）では、多くの場合、このようなバッファメモリを有する。例えば、ＤＶＤ−ＲＡＭディスクＭに情報を記録する場合、連続記録中にデータが途絶えることは許されないので、バッファメモリ７０に記録データを一旦蓄積することで、ホスト６からの入力データが一時的に転送されない場合でも、連続的に光ディスクＭに記録データを供給することができる。また、再生時においては、振動等でサーボが一時的に外れてしまった場合でも、ホスト６へ連続的にデータ転送が可能となる。
【００４４】
また、図１に示した光ディスク記録再生装置１には、装置内部の温度の変動を検出する温度変動検出器（温度センサ）７１が設けられている。温度変動検出器７１は、ＣＰＵ５に接続されており、検出した光ディスク記録再生装置１内の温度（検知出力）がＣＰＵ５に入力される。ＣＰＵ５は、その検出出力を監視し、温度変動（検知出力）が、予め設定された所定の範囲を超えた場合、ＬＤ１１からのレーザ光の出力を一時的に中断させて、温度変動（温度ドリフト）に伴う、サーボ系のオフセットを補正するオフセット調整動作を開始する。
【００４５】
すなわち、図１に示した光ディスク記録再生装置１は、例えば、再生動作に伴って生じ得る温度ドリフトの最大要因である光ディスク記録再生装置内の温度変動を温度変動検出器７１の検出出力に基づいて常時監視し、温度ドリフトによるサーボ回路のオフセットの影響が出ないように設定された温度変動の範囲を超える変動を生じた場合に、半導体レーザ（ＬＤ）１１から出力されるレーザ光の出力を一旦停止し、サーボ回路のオフセットを補正する。多くの場合、対物レンズの位置は、光ディスクのトラックあるいは記録マーク列を確実に追従できるよう、上述のサーボ系により常時制御されるが、周囲温度の変化や長時間の連続した記録／再生等を要因として、制御量にオフセット成分を伴う。
【００４６】
このため、不規則ではあるが、実際に温度ドリフトによるオフセットの調整の必要性が生じた場合のみの必要最小限の制御（オフセットの補正の実行）により、温度ドリフトによる悪影響を受けることのないフォーカスサーボ／トラッキングサーボが可能となる。
【００４７】
図２に、光ディスク記録再生装置の制御信号発生の動作のフローチャートを、図３に、各種制御信号のタイミング図を示す。
【００４８】
＜Ｓ２０１  フォーカス／トラッキングサーボホールド＞    
ステップＳ２０１において、フォーカスサーボホールド信号６５とトラッキングサーボホールド信号６８を“Ｈ”にする。これらの信号が“Ｈ”の間、各サーボはホールド状態となり直前の状態に保持されている。
【００４９】
＜Ｓ２０２  ＡＰＣホールド＞    
ＡＰＣホールド制御信号３７を“Ｈ”にする。この信号が“Ｈ”の間、増幅器３２の出力電圧（非発光（レーザ光出力遮断）直前の駆動電流値）４０はホールド状態［３０１，図３参照］に維持され、直前の状態に保持されている。ＡＰＣホールド機能が無い場合、増幅器３２の出力電圧４０は、遅延状態［３０２（図３参照）］になる。
【００５０】
＜Ｓ２０３  ＬＤオフ＞    
ＬＤオフ信号３９を“Ｈ”にする。この信号が“Ｈ”の時、ＬＤ（半導体レーザ）１１は、オフで非発光（レーザ出力遮断）状態になる。なお、上述したＡＰＣホールド（Ｓ２０２）との間の時間差は、実質的に「０（同時）」であってもよい。
【００５１】
＜Ｓ２０４  フォーカスサーボ／トラックサーボオフセット検出・補正＞    
ＣＰＵ５により、検出・補正区間Ｔ２（図３参照）において、フォーカスオフセット検出信号６４とトラッキングオフセット検出信号６７が検出され、フォーカスオフセット補正信号６３とトラッキングオフセット補正信号６６で、オフセットが補正される。なお、オフセットの検出・補正（Ｔ２）は、例えば光ディスクＭに情報を記録している間は禁止されなければならず、図３に“Ｔ１”で示したＬＤ１１からのレーザ光出力が停止されている間の範囲内（Ｔ１）においてのみ、許可されることはいうまでもない。
【００５２】
＜Ｓ２０５  ＡＰＣオン＞    
ＡＰＣホールド制御信号３７を“Ｌ”にする。ＡＰＣ回路３は、本来のＡＰＣ動作に戻る。なお、ホールド制御信号３７が“Ｌ”に変化される時点は、オフセットの検出・補正（Ｔ２）が終了した時点よりも“ＴＡ”だけ遅れるが、サンプルホールド回路３３によりＬＤ１１がオフされる直前の駆動電流値を保持することで、オフセットの検出・補正（Ｔ２）が終了した時点で、ＡＰＣホールド信号３７が“Ｌ”に変化された、と同様の効果が得られる。
【００５３】
＜Ｓ２０６  ＬＤオン＞    
ＬＤオフ信号３９を“Ｌ”にする。半導体レーザ（ＬＤ）１１からレーザ光が出力される。はオンする。なお、上述したＡＰＣホールド制御信号３７→“Ｌ”（ホールド解除，Ｓ２０５）との間の時間差は、実質的に「０（同時）」であってもよい。
【００５４】
＜Ｓ２０７  フォーカスサーボ／トラックサーボオン＞    
フォーカスサーボホールド信号６５とトラッキングサーボホールド信号６８を“Ｌ”にする。各サーボは、通常のサーボ［３０３］に戻る。ＡＰＣホールド機能が無い場合は、増幅器３２の出力電圧４０は、遅延し、安定するまでの影響［３０２］で通常のサーボへの戻りも遅延する［３０４（ＴＢ）］。すなわち、サーボホールド時間がＴ３（本発明）より長いＴ４となる（非本発明）。
【００５５】
図４に、光ディスク記録再生装置のフォーカスサーボ／トラックサーボオフセット補正開始までの動作フォローチャートを、図５に、オフセット補正開始までの概略タイミングを示す。
【００５６】
ステップＳ４０１において、バッファメモリに記録データを蓄積中か否かがチェックされる。記録動作中は、記録データがバッファメモリに蓄積する間［５０１（図５参照）］のサーボの待機［５０２（図５参照）］を監視する。
【００５７】
ステップＳ４０２において、バッファメモリの再生データを再生中か否かがチェックされる。再生動作中は、バッファメモリの再生データを出力する間［５０３，図５参照］のサーボ待機［５０４，図５参照］を監視する。
【００５８】
ステップＳ４０３において、装置内の温度が所定温度範囲を超えたか否かがチェックされる。すなわち、装置内の温度変動が、予め設定された所定の範囲を超えていないかが、ＣＰＵ５による温度変動検出器７１の出力のチェックにより監視される［５０５，図５参照］。
【００５９】
ステップＳ４０４において、フォーカス／トラッキングオフセットが補正される。すなわち、サーボ待機中に半導体レーザ１１からのレーザ光の出力を停止させ、温度ドリフトに伴うサーボのオフセットが検知された場合には、オフセット量が特定され、オフセットが補正される（サーボホールド信号６５，６８）。これにより、サーボホールド時間が、Ｔ４からＴ３に短縮され、サーボ待機区間で、オフセット補正が完了する。
【００６０】
以上説明したように、ＡＰＣ回路にサンプルホールド回路を設け、レーザ光源のレーザ出力が遮断される（非発光）直前の駆動電流値を保持しておくことにより、再点灯後に、ＡＰＣ回路の制御動作に伴うレーザ光の強度が安定されるまでの時間が短縮される。
【００６１】
これにより、サーボホールド時間が短縮され、サーボ系への影響を無くし、誤動作することなくサーボ系の追従性能を向上する安定な制御が可能となる。
【００６２】
従って、サーボ系のオフセットを補正するためのオフセット補正時間を低減し、サーボ系が誤動作することを抑止して、情報の安定な記録、再生もしくは消去が可能な光ディスク記録再生装置が提供される。
【００６３】
なお、この発明は、上述した実施の形態に限定されるものではなく、その実施の段階ではその要旨を逸脱しない範囲で種々な変形もしくは変更が可能である。また、個々の実施の形態は、可能な限り適宜組み合わせて実施されてもよく、その場合、組み合わせによる効果が得られる。
【図面の簡単な説明】
【００６４】
【図１】この発明の実施形態が適用可能な光ディスク記録再生装置の一例を示す概略図。
【図２】図１に示す光ディスク記録再生装置において、制御信号を発生する動作の一例を示すフローチャート。
【図３】図２に示したフローチャートに対応する各種制御信号のタイミングの一例を示すタイミングチャート。
【図４】図１に示す光ディスク記録再生装置において、フォーカスサーボオフセットと、トラックサーボオフセットを補正するための動作の一例を示すフォローチャート。
【図５】図４に示したフローチャートに対応する各部動作のタイミングの一例を示すタイミングチャート。
【符号の説明】
【００６５】
１…光ディスク記録再生装置、２…光学ヘッド、３…ＡＰＣ回路（オートパワー制御手段）、４…信号処理部、５…主制御装置（ＣＰＵ）、１１…半導体レーザ（ＬＤ）、１２…コリメータレンズ、１３…ビームスプリッタ、１４…対物レンズ、１５…検出レンズ、１６…４分割受光素子（ＰＤ）、１７…モニタ用光検出器、１８…アクチュエータ、３１…電流／電圧変換回路（Ｉ／Ｖ変換器）、３２…増幅器、３３…サンプルホールド回路（サンプルホールド手段）、３４…電流制御増幅器、３５…Ｄ／Ａ変換器、３６…ＬＤ駆動回路（発光制御手段）、３７…制御信号、３８…、３９…ＬＤオフ信号、４０…増幅器３２の出力電圧（非発光（レーザ光出力遮断）直前の駆動電流値）、５１…ＲＦ信号生成復調回路、５２…フォーカスエラー生成回路、５３…トラッキングエラー生成回路、５４…オペアンプ、５５…Ｄ／Ａ変換器、５６…Ａ／Ｄ変換器、５７…サンプルホールド回路（サーボホールド手段）、５８…制御回路、５９…オペアンプ、６０…Ｄ／Ａ変換器、６１…Ａ／Ｄ変換器、６２…サンプルホールド回路（サーボホールド手段）、６３…フォーカスオフセット補正信号（オフセット補正手段）、６４…フォーカスオフセット検出信号（オフセット検出手段）、６５…フォーカスサーボホールド制御信号、６６…トラッキングオフセット補正信号、６７…トラッキングオフセット検出信号（オフセット検出手段）、６８…トラックサーボホールド制御信号、７０…バッファメモリ、７１…温度変動検出器（温度センサ）、Ｍ…光ディスク（情報記録媒体）。
【図１】
2006185481.tif 000003
【図２】
2006185481.tif 000004
【図３】
2006185481.tif 000005
【図４】
2006185481.tif 000006
【図５】
2006185481.tif 000007